(57)【要約】【課題】ステータコアに設けられたコイルを良好に冷却することができるステータを提供する。【解決手段】  ステータは、周方向に間隔をあけて複数のスロット１５が形成されており、環状に形成されたステータコア４と、スロット１５に装着されたコイル５Ｕと、ステータコア４に設けられ、内部を冷媒が流通する冷却ジャケットと、を備え、コイル５Ｕは、コイル線２０と、コイル線２０の一部を被覆する絶縁部材とを含み、コイルのうち、冷却ジャケット内に位置する部分の少なくとも一部は、絶縁部材から露出している。【選択図】図２
2020202610.tif 000002
【特許請求の範囲】
【請求項１】
周方向に間隔をあけて複数のスロットが形成されており、環状に形成されたステータコアと、
前記スロットに装着されたコイルと、
前記ステータコアに設けられ、内部を冷媒が流通する冷却ジャケットと、
を備え、
前記コイルは、コイル線と、前記コイル線の一部を被覆する絶縁部材とを含み、
前記コイルのうち、前記冷却ジャケット内に位置する部分の少なくとも一部は、前記絶縁部材から露出している、ステータ。
【発明の詳細な説明】
【技術分野】
【０００１】
本開示は、ステータに関する。
【背景技術】
【０００２】
回転電機は、環状に形成されたステータと、このステータ内に配置されたロータとを備える。ロータは、たとえば、ロータコアと、ロータコアに設けられた複数の磁石とを含む。ステータは、ステータコアと、ステータコアに装着されたコイルとを含む。ステータコアは、環状に形成されており、ステータコアの内周面には、周方向に間隔をあけて軸方向に延びるスロットが形成されている。コイルは、スロットに装着されると共に、ステータコアの端面上を通るように配置されている。一般に、ステータのコイルに交流電流が流れることで、ロータおよびステータの間で磁束が流れ、ロータがステータに対して回転する。
【０００３】
そして、コイルに電流が流れることで、コイルに銅損が発生して、コイルが発熱する。また、ステータコア内を磁束が流れると、ステータコア内で鉄損が発生して、ステータコアが高温となる。
【０００４】
そこで、従来からステータのコイルを冷却するための構成について各種提案されている。特開２０１２−０８５３９３号公報に記載されたステータは、ステータコアの端面に配置された冷却通路を含む。この冷却通路は、ステータコアの端面に設けられており、冷却通路内にコイルが配置されている。そして、冷却通路内を冷媒が流通しており、冷却通路内のコイルを冷却している。
【先行技術文献】
【特許文献】
【０００５】
【特許文献１】特開２０１２−０８５３９３号公報
【発明の概要】
【発明が解決しようとする課題】
【０００６】
一般に、ステータのコイルは、コイル線と、このコイル線を被覆する絶縁被膜とを含み、銅損はコイル線に電流が流れることで生じる。コイル線は絶縁被膜によって覆われているため、冷却通路内においては、コイル線は絶縁被膜を通して冷却されることになる。そのため、特開２０１２−０８５３９３号公報に記載されたステータではコイルを良好に冷却することができない。
【０００７】
本開示は、上記のような課題に鑑みてなされたものであって、その目的は、ステータコアに設けられたコイルを良好に冷却することができるステータを提供することである。
【課題を解決するための手段】
【０００８】
本開示に係るステータは、周方向に間隔をあけて複数のスロットが形成されており、環状に形成されたステータコアと、スロットに装着されたコイルと、ステータコアに設けられ、内部を冷媒が流通する冷却ジャケットとを備え、コイルは、コイル線と、コイル線の一部を被覆する絶縁部材とを含み、コイルのうち、冷却ジャケット内に位置する部分の少なくとも一部は、絶縁部材から露出している。
【０００９】
上記のステータによれば、コイルのうち、冷却ジャケット内に位置する部分は、絶縁部材から露出している。これにより、冷却ジャケット内において、コイル線が冷媒によって直接的に冷却され、良好にコイルを冷却することができる。
【発明の効果】
【００１０】
本開示に係るステータによれば、ステータコアに設けられたコイルを良好に冷却することができる。
【図面の簡単な説明】
【００１１】
【図１】回転電機１が搭載された車両２を示す模式図である。
【図２】ステータ７を模式的に示す断面図である。
【図３】端面２５側から視たときにおけるステータ７を示す斜視図である。
【図４】端面２６側から視たときにおけるステータ７を示す斜視図である。
【図５】ステータ７の一部を模式的に示す斜視図である。
【図６】ステータ７の一部を示す分解斜視図である。
【図７】シール部材３３を示す断面図である。
【図８】Ｕ相コイル２１Ｕの一部を示す分解斜視図である。
【図９】シール部材３３，３４にＵ相コイル２１Ｕが挿入された状態を示す断面図である。
【図１０】本実施の形態に係るステータ７を含む回転電機１を駆動させたときのコイル温度と、比較例に係るステータを含む回転電機を駆動させたときのコイル温度とを比較したグラフである。
【図１１】回転電機１の製造フローを示すフロー図である。
【図１２】セグメント形成工程Ｓ１を模式的に模式図である。
【図１３】コア準備工程Ｓ２を模式的に示す展開図である。
【図１４】シール工程Ｓ３を示す展開図である。
【図１５】塗付工程Ｓ４を模式的に示す展開図である。
【図１６】挿入工程Ｓ５を模式的に示す展開図である。
【図１７】結線工程Ｓ６を示す展開図である。
【図１８】装着工程Ｓ７を示す断面斜視図である。
【図１９】熱処理工程Ｓ８を示す断面斜視図である。
【発明を実施するための形態】
【００１２】
図１から図１９を用いて、本実施の形態に係る回転電機について説明する。図１から図１９に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００１３】
図１は、回転電機１が搭載された車両２を示す模式図である。車両２は、回転電機１と、トランスアクスルケース３と、冷却装置４と、駆動輪５とを備える。
【００１４】
回転電機１はトランスアクスルケース３内に収容されている。回転電機１は、ロータ６と、ステータ７と、冷却ジャケット８，９とを含む。
【００１５】
ステータ７は、環状に形成されており、ロータ６はステータ７内に挿入されている。ロータ６は、回転中心線Ｏ１を中心に回転可能に設けられている。ロータ６は、シャフト１５に固定されており、シャフト１５は駆動輪５に機械的に接続されている。冷却ジャケット８，９は、ステータ７に設けられている。
【００１６】
冷却装置４は、ラジエータ１０と、ファン１１と、冷媒管１２，１３と、ポンプ１４とを含み、冷媒Ｃが冷却装置４内を循環する。冷媒管１２，１３はラジエータ１０および冷却ジャケット８，９に接続されている。
【００１７】
ファン１１は、ラジエータ１０に外気を吹きつけて、ラジエータ１０内を流れる冷媒Ｃを冷却する。ラジエータ１０内で冷却された冷媒Ｃは冷媒管１２を通り、冷却ジャケット８，９に供給され、回転電機１を冷却する。回転電機１を冷却した冷媒Ｃは、冷媒管１３を通って、ラジエータ１０に戻る。
【００１８】
図２は、ステータ７を模式的に示す断面図である。ステータ７は、ステータコア２０と、コイル２１と、複数のシール部材３３，３４と、接着剤３５，３６とを含む。
【００１９】
ステータコア２０は、複数の電磁鋼鈑を回転中心線Ｏ１が延びる方向に積層することで形成されている。ステータコア２０は、環状に延びるヨーク部２２と、複数のティース２３とを含む。ティース２３は、ヨーク部２２の内周面から突出するように形成されており、複数のティース２３は周方向に間隔をあけて形成されている。各ティース２３の間にスロット２４が形成されている。
【００２０】
ステータコア２０は、回転中心線Ｏ１が延びる方向に配列する端面２５および端面２６を含む。
【００２１】
複数のシール部材３３は、端面２５に間隔をあけて設けられており、接着剤３５はシール部材３３の表面および端面２５に形成されている。複数のシール部材３４は、端面２６に間隔をあけて設けられており、接着剤３６はシール部材３４の表面および端面２６に形成されている。
【００２２】
冷却ジャケット８は、端面２５側に設けられており、冷却ジャケット９は、端面２６側に設けられている。冷却ジャケット８および冷却ジャケット９は環状に形成されている。
【００２３】
冷却ジャケット８は、外周壁３０と、内周壁３１と、端板３２とを含み、冷却ジャケット８は、端面２５に向けて開口するように形成されている。そして、外周壁３０の辺部と、内周壁３１の辺部とよって、冷却ジャケット８の開口部が形成されている。内周壁３１および端板３２の辺部は、接着剤３５に接触しており、冷却ジャケット８はステータコア２０に固定されている。
【００２４】
このように冷却ジャケット８が固定されているので、冷却ジャケット８および端面２５の間には、冷媒Ｃが流れる冷却通路４０が形成されている。
【００２５】
外周壁３０には冷媒管１２および冷媒管１３が接続されている。そして、冷媒管１２から冷却通路４０内に冷媒Ｃが供給され、冷却通路４０内を通った冷媒Ｃが冷媒管１３から排出される。
【００２６】
冷却ジャケット９は、内周壁３７と、外周壁３８と、端板３９とを含み、冷却ジャケット９は端面２６に向けて開口するように形成されている。
【００２７】
冷却ジャケット９の開口部は、内周壁３７および外周壁３８の辺部によって形成されており、内周壁３７および外周壁３８の辺部は、接着剤３６に接触している。そして、冷却ジャケット９は、接着剤３６によって、ステータコア２０に固定されている。
【００２８】
そして、冷却ジャケット９および端面２６の間には、冷媒Ｃが流れる冷却通路４１が形成されている。外周壁３８には、冷媒管１２および冷媒管１３が接続されている。そして、冷媒管１２から冷却通路４１に冷媒Ｃが供給され、冷却通路４１内を通った冷媒Ｃが冷媒管１３から排出される。
【００２９】
図３は、端面２５側から視たときにおけるステータ７を示す斜視図であり、図４は、端面２６側から視たときにおけるステータ７を示す斜視図である。コイル２１は、Ｕ相コイル２１Ｕと、Ｖ相コイル２１Ｖと、Ｗ相コイル２１Ｗとを含む。
【００３０】
図５は、ステータ７の一部を模式的に示す斜視図であり、図６は、ステータ７の一部を示す分解斜視図である。なお、図６においては、コイル２１は図示されていない。スロット２４は、ティース２３間に形成されている。シール部材３３は、周方向に隣り合うティース２３に跨るように配置されており、シール部材３４も、周方向に隣り合うティース２３に跨るように配置されている。
【００３１】
シール部材３４は、シール部材３３と実質的に同一となるように形成されている。シール部材３３は、板部４５と、脚４６，４７とを含む。板部４５は、ステータ７の径方向に延びるように形成されており、板部４５は、主面５０，５１を含む。主面５１は端面２５に配置されており、主面５０は主面５１と反対側に位置している。
【００３２】
板部４５には、ステータ７の径方向に間隔をあけて複数の貫通孔４９が形成されており、各貫通孔４９は主面５０から主面５１に達するように形成されている。
【００３３】
脚４６，４７は、主面５１に形成されている。脚４６および脚４７は、ステータ７の径方向に延びるように形成されており、脚４６，４７は、主面５１から端面２６に向けて突出するように形成されている。脚４６および脚４７は、スロット２４内に入り込んでおり、各脚４６，４７は、ティース２３に接触している。なお、複数の貫通孔４９は、脚４６および脚４７の間に位置している。
【００３４】
なお、シール部材３４は、シール部材３３と同様に形成されており、シール部材３４は、板部５２と、脚５３，５４とを含み、板部５２には複数の貫通孔５５が形成されている。そして、脚５３および脚５４がスロット２４内に入り込んでいる。
【００３５】
図７は、シール部材３３を示す断面図である。この図７に示すように、貫通孔４９の内表面は、シール部材３３の厚さ方向の中央に向かうにつれて、内方に向けて膨らむように形成されている。具体的には、貫通孔４９の内表面は内側面５６および内側面５７を含み、内側面５６および内側面５７は互い対向するように形成されている。
【００３６】
そして、内側面５６および内側面５７は、シール部材３３の厚さ方向の中央に向かうにつれて、互いに近づくように湾曲している。なお、シール部材３３に形成された貫通孔４９の形状について説明したが、シール部材３４に形成された貫通孔も貫通孔４９と同様に形成されている。
【００３７】
図５に戻って、Ｕ相コイル２１Ｕと、Ｖ相コイル２１Ｖと、Ｗ相コイル２１Ｗとは、たとえば、端面２５上を周方向に延び、その後、シール部材３３に形成された貫通孔４９内に挿入される。そして、各コイルは、スロット２４を通って、シール部材３４に形成された貫通孔を通る。
【００３８】
そして、各コイルは、シール部材３４に形成された貫通孔を通って、端面２６を周方向に延びるように形成されている。
【００３９】
図８は、Ｕ相コイル２１Ｕの一部を示す分解斜視図である。ここで、Ｕ相コイル２１Ｕは、複数のセグメントコイル５９を接続することで形成されている。具体的には、各セグメントコイル５９の端部同士を溶接することで、Ｕ相コイル２１Ｕを形成している。セグメントコイル５９は、銅などによって形成された導線と、導線の一部を被覆するように形成された絶縁部材６１とを含む。
【００４０】
セグメントコイル５９の導線は、渡り線６２と、挿入部６３とを含む。そして、渡り線６２は、端面２５または端面２６に配置されており、挿入部６３はスロット２４内に挿入されている。絶縁部材６１は、挿入部６３を覆うように形成されている。この絶縁部材６１によって、スロット２４内において、導線と、ステータコア２０との電気的な絶縁が確保されている。
【００４１】
渡り線６２は、端面２５，２６から間隔をあけて配置されている。渡り線６２の端部には、溶接端６５が形成されており、挿入部６３の端部にも溶接端６６が形成されている。Ｕ相コイル２１Ｕは、複数のセグメントコイル５９を接続することで形成されている。たとえば、セグメントコイル５９Ａの溶接端６５と、セグメントコイル５９Ｂの溶接端６６とが溶接されている。また、セグメントコイル５９Ｂの溶接端６５と、セグメントコイル５９Ｃの溶接端６６とが溶接されている。なお、Ｕ相コイル２１Ｕについて説明したが、Ｖ相コイル２１ＶおよびＷ相コイル２１ＷについてもＵ相コイル２１Ｕと同様に構成されている。
【００４２】
図９は、シール部材３３，３４にＵ相コイル２１Ｕが挿入された状態を示す断面図である。この図９に示すように、Ｕ相コイル２１Ｕの挿入部６３がシール部材３３の貫通孔４９に挿入されている。
【００４３】
ここで、ティース２３の内表面と、絶縁部材６１との間には、隙間が形成されており、挿入部６３と、ティース２３との間にも隙間が形成されている。このため、挿入部６３およびティース２３は電気的に絶縁されている。
【００４４】
さらに、シール部材３３およびシール部材３４は、ステータコア２０に固定されており、挿入部６３は、回転中心線Ｏ１の延びる方向に間隔をあけてシール部材３３およびシール部材３４によって固定されている。
【００４５】
このように、Ｕ相コイル２１Ｕは、シール部材３３およびシール部材３４によってステータコア２０に固定されると共に、ステータコア２０との絶縁性が確保されている。
【００４６】
ここで、Ｕ相コイルを固定する方法としては、一般的には、Ｕ相コイルをスロット２４に挿入した状態で、ワニスをスロット２４内に充填し、さらに、ワニスを熱硬化する方法が考えられる。しかし、当該方法によれば、ワニスを熱硬化させる工程が必要となり、製造工程が増大しやすい。その一方で、本実施の形態に係る回転電機１によれば、Ｕ相コイル２１Ｕは、シール部材３３およびシール部材３４によって固定されており、上記のように熱硬化処理の工程を要しない。これにより、製造工程の簡略化を図ることができる。
【００４７】
絶縁部材６１は、シール部材３３，３４から突出している。シール部材３３の貫通孔４９の内周面は、絶縁部材６１に密着している。そして、絶縁部材６１の表面に接着剤３５が塗布されており、シール部材３３の貫通孔４９および絶縁部材６１の間の隙間が閉塞されている。
【００４８】
シール部材３４の貫通孔の内周面も、絶縁部材６１に密着しており、シール部材３４の表面には、接着剤３６が形成されている。そして、シール部材３４の貫通孔の内周面と、絶縁部材６１との間の隙間は、接着剤３６によって、閉塞されている。
【００４９】
図２に戻って、端面２５側に位置するスロット２４の開口部は、シール部材３３によって閉塞されており、端面２６側に位置するスロット２４の開口部は、シール部材３４によって閉塞されている。
【００５０】
このため、冷却通路４０および冷却通路４１内を冷媒Ｃが流通したとしても、スロット２４から冷媒Ｃが漏れることが抑制されている。
【００５１】
Ｕ相コイル２１Ｕの渡り線６２と、Ｖ相コイル２１ＶおよびＷ相コイル２１Ｗの渡り線は、端面２５側に位置しており、各渡り線は、冷却通路４０内に位置している。冷却通路４０内を冷媒Ｃが流れることで、各渡り線が冷却される。Ｕ相コイル２１Ｕの渡り線６４と、Ｖ相コイル２１ＶおよびＷ相コイル２１Ｗの渡り線は、端面２６側に位置しており、各渡り線は、冷却通路４１内に位置している。冷却通路４１内を冷媒Ｃが流れることで、各渡り線が冷却される。
【００５２】
ここで、冷却ジャケット８，９内にＵ相コイル２１Ｕの渡り線６２と、Ｖ相コイル２１ＶおよびＷ相コイル２１Ｗの渡り線６２が配置されており、渡り線６２は、絶縁部材６１から露出している。このため、各相コイルの渡り線６２は、直接的に冷媒Ｃに曝されることになり、各相コイルが良好に冷却される。
【００５３】
図１０は、本実施の形態に係るステータ７を含む回転電機１を駆動させたときのコイル温度と、比較例に係るステータを含む回転電機を駆動させたときのコイル温度とを比較したグラフである。
【００５４】
比較例に係るステータは、冷却ジャケット８，９を備えておらず、冷却ジャケット８，９以外の構成においては、実質的にステータ７と同じ構成である。そして、図１１に示すグラフの縦軸は、温度を示す。
【００５５】
そして、グラフＬ２は、ステータ７を含む回転電機１を長時間駆動させたときのコイルの温度を示す。グラフＬ１は、比較例に係る回転電機を長時間駆動させたときのコイルの温度を示す。この図１１からも明らかなように、本実施の形態に係るステータ７が搭載された回転電機１においては、コイルの温度が高くなることが抑制されていることが分かる。
【００５６】
上記のように構成された回転電機１の製造方法について説明する。図１１は、回転電機１の製造フローを示すフロー図である。回転電機１の製造方法は、セグメント形成工程Ｓ１と、コア準備工程Ｓ２と、シール工程Ｓ３と、塗付工程Ｓ４と、挿入工程Ｓ５と、結線工程Ｓ６と、装着工程Ｓ７と、熱処理工程Ｓ８とを含む。
【００５７】
図１２は、セグメント形成工程Ｓ１を模式的に模式図である。セグメント形成工程Ｓ１は、準備工程Ｓ１０と、鍛造工程Ｓ１１と、成形工程Ｓ１２と、形成工程Ｓ１３とを含む。
【００５８】
準備工程Ｓ１０は、円柱状の素線７０を準備する工程である。素線７０は、銅によって形成されており、素線７０の表面には、絶縁被膜などは形成されていない。鍛造工程Ｓ１１は、素線７０に鍛造加工を施して、角形状の鍛造素線７１を形成する。
【００５９】
成形工程Ｓ１２は、鍛造素線７１に鍛造加工を施して、Ｌ字形状のセグメントコイル５９を形成する工程である。形成工程Ｓ１３は、セグメントコイル５９の挿入部６３に絶縁部材６１を形成する工程である。
【００６０】
図１３は、コア準備工程Ｓ２を模式的に示す展開図である。この図１３では、ステータコアの内周面の展開図を示している。
【００６１】
図１４は、シール工程Ｓ３を示す展開図である。シール工程Ｓ３は、端面２５に複数のシール部材３３を配置する工程と、端面２６に複数のシール部材３４を配置する工程とを含む。
【００６２】
ここで、シール部材３３は、端面２５側のスロット２４の開口部を閉塞するように設けられ、さらに、シール部材３４は、端面２６側のスロット２４の開口部を閉塞するように設けらる。
【００６３】
図１５は、塗付工程Ｓ４を模式的に示す展開図である。塗付工程Ｓ４は、端面２５にシール材７２を形成する工程と、端面２６にシール材７３を形成する工程とを含む。
【００６４】
シール材７２，７３は、たとえば、ＦＩＰＧ（Formed In Place Gasket)などの樹脂によって形成されている。
【００６５】
図１６は、挿入工程Ｓ５を模式的に示す展開図である。挿入工程Ｓ５は、スロット２４に、セグメントコイル５９の挿入部６３を挿入する工程である。なお、この図１６においては、例示的に２つのセグメントコイル５９を挿入した状態を示している。
【００６６】
図１７は、結線工程Ｓ６を示す展開図である。結線工程Ｓ６においては、複数のセグメントコイル５９の溶接端６６および溶接端６５を互いに溶接する工程である。これにより、複数のセグメントコイル５９が電気的に接続されて、たとえば、Ｕ相コイル２１Ｕが形成される。同様に、Ｖ相コイル２１ＶおよびＷ相コイル２１Ｗも形成される。
【００６７】
このように、Ｕ相コイル２１Ｕは、素線７０を鍛造加工して、セグメントコイル５９を形成し、このセグメントコイル５９に絶縁部材６１を形成している。
【００６８】
たとえば、絶縁被膜が形成された導線を曲げ加工して、Ｕ相コイル２１Ｕを形成したとすると、曲げ加工の曲げ量が大きいと、絶縁被膜に亀裂や割れが生じるおそれがある。これに伴い、表面に絶縁被膜が形成された導線を曲げ加工する際に曲げ量に制限が生じ、本実施の形態のように、９０度程度まで曲げることができない。
【００６９】
その一方で、本実施の形態のように、鍛造加工によってセグメントコイル５９を形成した後に、絶縁部材６１を形成することで、上記のような弊害が生じることを抑制することができる。さらに、鍛造加工の際には、絶縁部材６１が形成されていないので、たとえば、渡り線６２を９０度程度曲げるように鍛造素線７１を加工することができる。
【００７０】
その結果、Ｕ相コイル２１Ｕなどにおいて、渡り線６２が回転中心線Ｏ１が延びる方向に突出する突出量を小さく抑えることができる。これにより、回転中心線Ｏ１が延びる方向において、ステータ７の体格を小さく抑えることができる。
【００７１】
図１８は、装着工程Ｓ７を示す断面斜視図である。装着工程Ｓ７は、ステータコア２０の端面２５に冷却ジャケット８を配置する工程と、端面２６に冷却ジャケット９を配置する工程とを含む。この際、冷却ジャケット８の開口縁部は、シール材７２に密着し、冷却ジャケット９の開口縁部は、シール材７３に密着する。図１９は、熱処理工程Ｓ８を示す断面斜視図である。この熱処理工程Ｓ８においては、シール材７２およびシール材７３に熱処理が施される。シール材７２が熱硬化して接着剤３５となり、シール材７３が熱硬化することで接着剤３６となる。これにより、冷却ジャケット８が端面２５に固定され、冷却ジャケット９が端面２６に固定される。冷却ジャケット８および冷却ジャケット９が固定されることで、ステータ７が形成される。
【００７２】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【００７３】
１  回転電機、２  車両、３  トランスアクスルケース、４  冷却装置、５  駆動輪、６  ロータ、７  ステータ、８，９  冷却ジャケット、１０  ラジエータ、１１  ファン、１２，１３  冷媒管、１４  ポンプ、１５  シャフト、２０  ステータコア、２１，２１Ｕ，２１Ｖ，２１Ｗ  コイル、２２  ヨーク部、２３  ティース、２４  スロット、２５，２６  端面、３０，３８  外周壁、３１，３７  内周壁、３２，３９  端板、３３，３４  シール部材、３５，３６  接着剤、４０，４１  冷却通路、４５，５２  板部、４６，４７，５３，５４  脚、４９，５５  貫通孔、５０，５１  主面、５６，５７  内側面、５９，５９Ａ，５９Ｂ，５９Ｃ  セグメントコイル、６０  導線、６１  絶縁部材、６２，６４  渡り線、６３  挿入部、６５，６６  溶接端、７０  素線、７１  鍛造素線、７２，７３  シール材、Ｃ  冷媒、Ｌ１，Ｌ２  グラフ、Ｏ１  回転中心線、Ｓ１  セグメント形成工程、Ｓ２  コア準備工程、Ｓ３  シール工程、Ｓ４  塗付工程、Ｓ５  挿入工程、Ｓ６  結線工程、Ｓ７  装着工程、Ｓ８  熱処理工程、Ｓ１０  準備工程、Ｓ１１  鍛造工程、Ｓ１２  成形工程、Ｓ１３  形成工程。
【図１】
2020202610.tif 000003
【図２】
2020202610.tif 000004
【図３】
2020202610.tif 000005
【図４】
2020202610.tif 000006
【図５】
2020202610.tif 000007
【図６】
2020202610.tif 000008
【図７】
2020202610.tif 000009
【図８】
2020202610.tif 000010
【図９】
2020202610.tif 000011
【図１０】
2020202610.tif 000012
【図１１】
2020202610.tif 000013
【図１２】
2020202610.tif 000014
【図１３】
2020202610.tif 000015
【図１４】
2020202610.tif 000016
【図１５】
2020202610.tif 000017
【図１６】
2020202610.tif 000018
【図１７】
2020202610.tif 000019
【図１８】
2020202610.tif 000020
【図１９】
2020202610.tif 000021